(57)【要約】【課題】簡単な回路構成にて垂直偏向回路の三角波の変動を抑え、画面の垂直方向のサイズが変化しにくいブラウン管テレビジョンの提供を目的とする。【解決手段】定電流源Ｉ２よりダイオードＤ１の順方向に電流が供給され、第二のアンプＸ４がダイオードＤ１の順方向電圧を増幅して第一のアンプＸ２の利得制御端子に入力し、第一のアンプＸ２は電圧生成回路２７にて生成される振幅設定電圧とダイオードＤ１の順方向電圧とに基づいて三角波発生回路Ｇより入力された三角波電圧を増幅して出力する。【選択図】図３
2007258907.tif 000002
【特許請求の範囲】
【請求項１】
ブラウン管の電子ビームを垂直方向に走査させるための三角波電圧を発生する三角波発生回路と、
上記三角波発生回路より三角波電圧が入力され同三角波電圧を増幅して出力する第一のアンプと、
上記第一のアンプに備えられるとともに同第一のアンプに入力された電圧の増幅率を決定する利得制御電圧が印加される利得制御端子と、
工場にて設定される振幅設定電圧に従って電圧を生成して上記利得制御端子に入力する電圧生成回路と、
から構成される垂直偏向回路を備えて、入力された映像信号に対応する映像を上記ブラウン管の画面に表示するブラウン管テレビジョンにおいて、
所定の電流を供給する定電流源と、
アノード側を上記定電流源に接続されると共にカソード側が接地されるダイオードと、
上記定電流源と上記ダイオードの間に入力端子が接続され、上記ダイオードの順方向電圧を増幅して出力する第二のアンプと、
上記第二のアンプの出力端子に対して直列に接続された複数の抵抗と、上記利得制御端子に接続されて上記複数の抵抗の分割点に切り替え可能なスイッチとから構成され、上記第二のアンプより出力される電圧を減圧する減圧回路と、
上記振幅設定電圧を表す情報が設定される第一のレジスタと、
上記スイッチがいずれの分割点に接続されるかを表す情報が設定される第二のレジスタと、
を備え、
上記三角波発生回路と上記第一のアンプと上記電圧生成回路と上記定電流源と上記第二のアンプと上記減圧回路と上記第一のレジスタと上記第二のレジスタとは、ＩＣの内部に形成されるとともに、上記ダイオードはＩＣの外部に設置され、
上記第二のレジスタはブラウン管テレビジョンのサイズに対応する値が設定され、
上記第一のレジスタは、上記第二のレジスタが設定された後、ブラウン管テレビジョンのエージングが完了してから上記映像が上記画面に合わせて表示されるように設定される
ことを特徴とするブラウン管テレビジョン。
【請求項２】
ブラウン管の電子ビームを垂直方向に走査させるための三角波電圧を発生する三角波発生回路と、入力される上記三角波電圧を増幅して出力する第一のアンプと、同第一のアンプにおける利得制御電圧が印加される利得制御端子と、工場にて設定される振幅設定電圧に従って電圧を生成して上記利得制御端子に入力する電圧生成回路と、から構成される垂直偏向回路を備えて、入力された映像信号に対応する映像を上記ブラウン管の画面に表示するブラウン管テレビジョンにおいて、
所定の電流を供給する定電流源と、
上記定電流源に順方向に接続されるダイオードと、
上記ダイオードの順方向電圧を増幅して上記利得制御端子に入力する第二のアンプと、を備えることを特徴とするブラウン管テレビジョン。
【請求項３】
上記第二のアンプと上記利得制御端子との間に、スイッチと複数の抵抗とから構成される減圧回路を挿入する
ことを特徴とする上記請求項２に記載のブラウン管テレビジョン。
【請求項４】
上記振幅設定電圧を表す情報が設定される第一のレジスタを備える
ことを特徴とする上記請求項３に記載のブラウン管テレビジョン。
【請求項５】
上記ダイオードは、アノード側を上記定電流源に接続されるとともにカソード側が接地され、
上記第二のアンプは、上記定電流源と上記ダイオードの間に入力端子が接続されるとともに出力端子が上記減圧回路に接続され、
上記減圧回路は、上記第二のアンプの出力端子に対して直列に接続された複数の抵抗と、上記利得制御端子に接続されて上記複数の抵抗の分割点に切り替え可能なスイッチとから構成される
ことを特徴とする上記請求項４に記載のブラウン管テレビジョン。
【請求項６】
上記減圧回路の抵抗値は、ブラウン管テレビジョンのサイズに応じて設定され、
上記第一のレジスタは、上記抵抗値が設定された後、ブラウン管テレビジョンのエージングが完了してから上記映像が上記画面に合わせて表示されるように設定される
ことを特徴とする上記請求項５に記載のブラウン管テレビジョン。
【請求項７】
上記スイッチがいずれの分割点に接続されるかを表す情報が設定される第二のレジスタを備える
ことを特徴とする上記請求項５または上記請求項６に記載のブラウン管テレビジョン。
【請求項８】
上記第二のアンプは、
プログラマブル・ゲイン・アンプである
ことを特徴とする上記請求項２〜７に記載のブラウン管テレビジョン。
【請求項９】
上記ダイオードの代わりにサーミスタを使用する
ことを特徴とする上記請求項２〜８のいずれかに記載のブラウン管テレビジョン。
【発明の詳細な説明】
【技術分野】
【０００１】
本発明は、ブラウン管テレビジョンに関する。
【背景技術】
【０００２】
図５に、従来のブラウン管テレビジョンにおける垂直偏向回路を示した。同図にはビデオ信号処理のＩＣであるビデオクロマデバイス（ＶＣＤ）の一部と、同ＶＣＤの一部に接続されたデバイスとを示してある。同図において、垂直偏向回路は、概略、三角波発生回路Ｇとプログラマブル・ゲイン・アンプ（以下Ｐアンプと略す）Ｘ２２とドライバＸ２３とから構成されている。
【０００３】
三角波発生回路Ｇは、ブラウン管の電子ビームを規則正しく走査し、垂直方向に曲げる為ののこぎり波状の垂直方向電流を発生する。ＰアンプＸ２２は、レジスタ制御による振幅設定電圧が入力されており、同振幅設定電圧に従い三角波発生回路Ｇより入力される三角波の振幅を増幅して出力する。当該振幅設定電圧に対応するレジスタ値は、工場出荷時に最適な値が設定される。ドライバＸ２３は、ＩＣにて実現され、ＰアンプＸ２２にて増幅出力される三角波が入力され、同増幅出力された三角波に基づいて、ブラウン管の電子ビームを垂直方向に走査する。
【０００４】
ブラウン管テレビジョンでは、回路を構成する各部の温度特性により、上記三角波が変動し、画面サイズが変化することがある。一般に画面サイズは、三角波発生回路のＧに使用されるコンデンサの温度特性などが原因となり、温度が上昇するに従って広がり、温度が下降するに従い狭くなる傾向がある。水平偏向の回路には補正がなされてきたが、垂直方向の画面サイズを調整する垂直偏向の回路の温度変化については、温度特性のよい部品を使用するなどして温度特性をなるべく持たない回路とする以外は、ほとんど対策はなされず無防備であった。
【０００５】
上記背景に鑑みて、特許文献１には、垂直偏向ヨークの垂直偏向電流の最大値と最小値を検出するピーククランプ回路に温度補償用回路を組み合わせ、該回路の出力を垂直発振増幅回路の振幅制御端子に負帰還させ、入力電圧の垂直周波数変化や、設定後の温度変化によって変化せず、且つ垂直振幅信号発生回路の出力レベルなどの影響されずに一定振幅のＶサイズを維持することの出来る垂直偏向回路について開示されている。
また、特許文献２には、フライバックトランスから陰極線管に供給される高電圧を分圧する分圧抵抗と、分圧された電圧に基づき、垂直出力回路の負帰還ループをコントロールするコントロール回路とを備えることにより、高圧変動による画面垂直サイズ変動を正確に補正できる垂直偏向回路について開示されている。
そして、特許文献３には、水平同期信号の数と等しい段数の階段状の鋸波形の電圧を出力することにより、垂直同期信号の周期に関わらず、ビデオ信号の画面の垂直方向のサイズを一定に保ち、水平走査線ムラおよび水平走査線の重なりが発生しない垂直偏向回路、同期回路および画面表示装置について開示されている。
さらに、特許文献４には、鋸歯状波を発生する充電電流を主に制御する電圧を発生するＤ／Ａコンバータに、任意の電圧を設定することが出来るようにすることにより、広範囲の垂直偏向周波数に対し、周波数が変化しても表示サイズ・表示位置の調整範囲および調整精度を常に一定に保つことが出来るＣＲＴディスプレイの垂直偏向回路について開示されている。
【特許文献１】特開平０６−００６６２５号
【特許文献２】特開平０６−２５３１６４号
【特許文献３】特開平０９−２９４２１７号
【特許文献４】特開平１１−２６１８３４号
【発明の開示】
【発明が解決しようとする課題】
【０００６】
上述した従来のブラウン管テレビジョンの垂直偏向回路においては、温度補償を行っている特許文献１では、クランプ回路を用いて垂直偏向信号発生回路に帰還をかけて発振自体を変更するため回路が複雑になる傾向があった。また、特許文献２〜４は温度補償を行うものではなかった。
【０００７】
本発明は、上記課題にかんがみてなされたもので、簡単な回路構成にて垂直偏向回路の三角波の変動を抑え、画面の垂直方向のサイズが変化しにくいブラウン管テレビジョンの提供を目的とする。
【課題を解決するための手段】
【０００８】
上記課題を解決するために、本発明の請求項１にかかる発明では、ブラウン管の電子ビームを垂直方向に走査させるための三角波電圧を発生する三角波発生回路と、上記三角波発生回路より三角波電圧が入力され同三角波電圧を増幅して出力する第一のアンプと、上記第一のアンプに備えられるとともに同第一のアンプに入力された電圧の増幅率を決定する利得制御電圧が印加される利得制御端子と、工場にて設定される振幅設定電圧に従って電圧を生成して上記利得制御端子に入力する電圧生成回路と、から構成される垂直偏向回路を備えて、入力された映像信号に対応する映像を上記ブラウン管の画面に表示するブラウン管テレビジョンにおいて、所定の電流を供給する定電流源と、アノード側を上記定電流源に接続されると共にカソード側が接地されるダイオードと、上記定電流源と上記ダイオードの間に入力端子が接続され、上記ダイオードの順方向電圧を増幅して出力する第二のアンプと、上記第二のアンプの出力端子に対して直列に接続された複数の抵抗と、上記利得制御端子に接続されて上記複数の抵抗の分割点に切り替え可能なスイッチとから構成され、上記第二のアンプより出力される電圧を減圧する減圧回路と、上記振幅設定電圧を表す情報が設定される第一のレジスタと、上記スイッチがいずれの分割点に接続されるかを表す情報が設定される第二のレジスタと、を備え、上記三角波発生回路と上記第一のアンプと上記電圧生成回路と上記定電流源と上記第二のアンプと上記減圧回路と上記第一のレジスタと上記第二のレジスタとは、ＩＣの内部に形成されるとともに、上記ダイオードはＩＣの外部に設置され、上記第二のレジスタはブラウン管テレビジョンのサイズに対応する値が設定され、上記第一のレジスタは、上記第二のレジスタが設定された後、ブラウン管テレビジョンのエージングが完了してから上記映像が上記画面に合わせて表示されるように設定される構成としてある。
【０００９】
また、上記目的を達成するために、請求項２に記載のブラウン管テレビジョンでは、ブラウン管の電子ビームを垂直方向に走査させるための三角波電圧を発生する三角波発生回路と、入力される上記三角波電圧を増幅して出力する第一のアンプと、同第一のアンプにおける利得制御電圧が印加される利得制御端子と、工場にて設定される振幅設定電圧に従って電圧を生成して上記利得制御端子に入力する電圧生成回路と、から構成される垂直偏向回路を備えて、入力された映像信号に対応する映像を上記ブラウン管の画面に表示するブラウン管テレビジョンにおいて、所定の電流を供給する定電流源と、上記定電流源に順方向に接続されるダイオードと、上記ダイオードの順方向電圧を増幅して上記利得制御端子に入力する第二のアンプと、を備える構成としてある。
上記のように構成した請求項２にかかる発明において、上記定電流源より上記ダイオードの順方向に電流が供給され、上記第二のアンプが上記ダイオードの順方向電圧を増幅して上記利得制御端子に入力し、上記第一のアンプは上記振幅設定電圧と上記ダイオードの順方向電圧とに基づいて三角波発生回路より入力された三角波電圧を増幅して出力する。
【００１０】
上記垂直偏向回路を、複数サイズのブラウン管テレビジョンに対応させる為に、請求項３にかかる発明では、上記請求項２に記載のブラウン管テレビジョンにおいて、上記第二のアンプと上記利得制御端子との間に、スイッチと複数の抵抗とから構成される減圧回路を挿入する構成としてある。
上記のように構成した請求項３にかかる発明においては、上記第二のアンプより出力される電圧を減圧するとともに、スイッチを切り替えることで減圧率を容易に変更することができ、複数種類のモデルにて同一の垂直偏向回路使用することが可能となる。
【００１１】
さらに、上記振幅設定電圧の変更を容易にするため、請求項４にかかる発明では、上記請求項３に記載のブラウン管テレビジョンにおいて、上記振幅設定電圧を表す情報が設定される第一のレジスタを備える構成としてある。
上記のように構成した請求項４にかかる発明において、回路構成を変更する事無く、レジスタに情報を設定することにより上記振幅設定電圧を容易に変更することが可能となる。
【００１２】
さらに、請求項５にかかる発明は、上記請求項４に記載のブラウン管テレビジョンにおいて、上記ダイオードは、アノード側を上記定電流源に接続されるとともにカソード側が接地され、上記第二のアンプは、上記定電流源と上記ダイオードの間に入力端子が接続されるとともに出力端子が上記減圧回路に接続され、上記減圧回路は、上記第二のアンプの出力端子に対して直列に接続された複数の抵抗と、上記利得制御端子に接続されて上記複数の抵抗の分割点に切り替え可能なスイッチとから構成される、としてある。
【００１３】
さらに、請求項６にかかる発明は、上記請求項５に記載のブラウン管テレビジョンにおいて、上記減圧回路の抵抗値は、ブラウン管テレビジョンのサイズに応じて設定され、上記第一のレジスタは、上記抵抗値が設定された後、ブラウン管テレビジョンのエージングが完了してから上記映像が上記画面に合わせて表示されるように設定される構成としてある。
【００１４】
さらに、請求項７にかかる発明は、上記請求項５または上記請求項６に記載のブラウン管テレビジョンにおいて、上記スイッチがいずれの分割点に接続されるかを表す情報が設定される第二のレジスタを備える構成としてある。
【００１５】
さらに、請求項８にかかる発明は、上記請求項２〜７に記載のブラウン管テレビジョンにおいて、上記第二のアンプは、プログラマブル・ゲイン・アンプである構成としてある。
【００１６】
さらに、請求項９にかかる発明は、上記請求項２〜８のいずれかに記載のブラウン管テレビジョンにおいて、上記ダイオードの代わりにサーミスタを使用する構成としてある。
【発明の効果】
【００１７】
以上説明したように本発明によれば、テレビジョンセット内部の温度変化に対する垂直方向の画面サイズの変動を抑制することが可能なブラウン管テレビジョンを提供することができる。また、ダイオードを使用するため、上記効果を安価に実現できる。
また請求項３にかかる発明によれば、部品定数を変える事無く各インチのモデルに対応することが可能となる。
そして請求項４にかかる発明によれば、レジスタ設定によって部品定数を変える事無く各インチのモデルに対応することが可能となる。
さらに請求項５にかかる発明によれば、テレビジョンセット内部の温度変化に対する垂直方向の画面サイズの変動を抑制することが可能なブラウン管テレビジョンを提供することができる。
また請求項６にかかる発明によれば、部品定数を変える事無く各インチのモデルに対応することが可能となるとともに、エージング後の温度的にも回路的にも安定した状態で利得制御電圧を設定するため、安定状態からの画面サイズの変動を抑制することが可能となり、より垂直方向の画面サイズが安定したブラウン管テレビジョンを提供することが可能となる。
そして請求項７にかかる発明によれば、レジスタ設定によって部品定数を変える事無く各インチのモデルに対応することが可能となる。
また、請求項８にかかる発明によれば、プログラマブル・ゲイン・アンプを使用するため、マイコンなどの制御機器からの垂直方向の画面サイズの制御も可能なブラウン管テレビジョンを提供することが可能となる。
そして、請求項９にかかる発明によれば、サーミスタを使用してテレビジョンセット内部の温度変化に対する垂直方向の画面サイズの変動を抑制することが可能なブラウン管テレビジョンを提供することができる。
さらに請求項１のような、より具体的な構成において、上述した請求項２〜請求項７の各発明と同様の作用を奏することはいうまでもない。
【発明を実施するための最良の形態】
【００１８】
以下、下記の順序に従って本発明の実施形態を説明する。
（１）テレビジョンの概略構成：
（２）垂直偏向回路の概略構成：
（３）工場出荷時の設定：
（４）まとめ：
【００１９】
（１）テレビジョンの概略構成： 
以下、図面にもとづいて本発明の実施形態を説明する。
図１は、本発明の一実施形態にかかるテレビジョン１００の主要構成をブロック図により示している。
同図において、マイコン３０は、内部に、ＣＰＵ３１、ＲＯＭ３２、ＲＡＭ３３などを備え、ＣＰＵ３１がＲＡＭ３３をワークエリアとして利用しながらＲＯＭ３２に記憶された所定のプログラムを実行し、テレビジョン１００全体の制御を行うことにより、テレビジョンとしての機能を実現している。また、マイコン３０は、ＣＰＵ３１の制御により、赤外線受光回路３５から電圧信号を受け付け、対応するキー操作を検知するとリモコン６０からの操作入力を受け付ける。
【００２０】
チューナ回路１０は、マイコン３０の制御により、アンテナ１０ａを介してテレビ放送帯域に対応した所望周波数のテレビジョン信号を受信するとともに、この受信したテレビジョン信号から所要の信号だけを選択して高周波増幅し、中間周波信号に変換して出力する。同チューナ回路１０は、アンテナ１０ａ、マイコン３０に接続された高周波増幅回路、この高周波増幅回路とマイコン３０に接続された中間周波信号出力回路、等を備えている。中間周波信号出力回路は、マイコン３０に接続された局部発振回路と、この局部発振回路と高周波増幅回路に接続された混合回路とを備えている。なお、これらの回路は、従来から採用されている種々のテレビジョン用の回路を適用することができる。
【００２１】
高周波増幅回路は、バンドパスフィルタを有しており、マイコン３０の制御に基づいて、アンテナ１０ａからこのバンドパスフィルタを介して所望周波数に対応する放送電波を受信し、増幅して高周波信号を作成し、作成した高周波信号を混合回路に出力する。局部発振回路は、ＰＬＬ（Phase Locked Loop ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、ＶＣＤ−ＩＣ２０に出力する。
【００２２】
ＶＣＤ−ＩＣ２０は、チューナ回路１０から中間周波信号が供給されると、通信回線としてのＩＩＣバスを介してマイコン３０から与えられた制御指示に基づいて、図２に示すように、同中間周波信号を映像中間周波増幅回路２１にて増幅した後、映像検波回路２２にて音声信号を除去し、合成映像信号を抽出する。この除去された音声信号は、音声系の信号処理回路にて、中間周波増幅、ＦＭ検波および低周波増幅された後、スピーカ５０に出力される。一方、映像検波回路２２にて抽出された合成映像信号は、映像増幅回路２３にて映像信号と同期信号とに分離され、この映像信号は、増幅されてブラウン管４５のカソード側へ出力され、同期信号は、同期分離回路２４に供給される。
【００２３】
すると、同期分離回路２４は、この供給された同期信号をさらに、垂直同期信号と水平同期信号とに分離して垂直偏向回路２５と水平偏向回路２６とにそれぞれ出力する。垂直偏向回路２５は、この分離された垂直同期信号に基づき、のこぎり波を生成して増幅した後、ブラウン管４５のアノード側に備えられた垂直偏向コイル７０へ出力する。また、水平偏向回路２６は、分離された水平同期信号に基づき、のこぎり波を生成して増幅した後、ブラウン管４５のアノード側に備えられた水平偏向コイル７５へ出力する。その結果、ブラウン管４５ではＲＧＢ信号に応じた電子ビームがドライブされながら放出され、ブラウン管４５の管面に画像が現れることになる。
【００２４】
なお、水平偏向回路２６では、垂直偏向回路２５と異なり、高圧パルスが発生するため、この高圧パルスをフライバックトランス（ＦＢＴ）４０に供給している。ＦＢＴ４０は、この供給された高圧パルスを昇圧し、ブラウン管４５のアノード側、フォーカス回路、映像回路および音声回路などに供給する。
【００２５】
リモコン６０は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、リモコン６０を用いて所望のチャンネルを受信させるべく操作すると、赤外線送信部より対応する赤外線リモコン信号が送出される。そして、マイコン３０が赤外線受光回路３５を介して同赤外線リモコン信号を受信し、対応するチャンネルを受信させるように周波数データをチューナ回路１０に送出する。
【００２６】
（２）垂直偏向回路の概略構成： 
図３は、垂直偏向回路２５の構成を示してある。同図において、垂直偏向回路２５は、三角波発生回路Ｇと、第一のアンプＸ２と、ドライバＩＣＸ３と、抵抗Ｒ２〜Ｒ６と、スイッチＳＷと、第二のアンプＸ４と、ダイオードＤ１と、定電流源Ｉ２と、第一のレジスタ２８と、第二のレジスタ２９と、電圧生成回路２７とから構成されている。これらのうち、三角波発生回路Ｇと第一のアンプＸ２と電圧生成回路２７と定電流源Ｉ２と第二のアンプＸ４と抵抗Ｒ２〜Ｒ６とスイッチＳＷと第一のレジスタ２８と第二のレジスタ２９とは、ＶＣＤ−ＩＣ２０の内部に形成されるとともに、ダイオードＤ１はＶＣＤ−ＩＣ２０の外部に設置される。
【００２７】
三角波発生回路Ｇは、ブラウン管４５の電子ビームを垂直方向に走査させるための三角波電圧を発生する。三角波発生回路Ｇとしては、従来から採用されている三角波発生回路であるところの、ブロッキング発振回路やマルチバイブレータ発振回路、シュミット・トリガーによるのこぎり波発生回路などの発振回路を採用可能である。
【００２８】
第一のアンプＸ２は、三角波発生回路Ｇよりフィールド走査時間を１周期とする三角波電圧が入力され、同三角波電圧を増幅して出力する。また、第一のアンプＸ２は利得制御端子を備え、同利得制御端子に印加される利得制御電圧に従って第一のアンプＸ２に入力された三角波電圧の増幅率が決定される。第一のアンプＸ２としては、入力された電圧を印加された電圧に従って増幅して出力可能であればいかなるものであってもよく、たとえばプログラマブル・ゲイン・アンプなどが採用可能である。第一のアンプＸ２より出力される三角波電圧はドライバＩＣＸ３に供給され、ドライバＩＣＸ３がブラウン管４５を駆動する。
【００２９】
電圧生成回路２７は、第一のレジスタ２８に設定される振幅設定電圧を表す情報に従って電圧を生成し、第一のアンプＸ２の利得制御端子に対して印加する。第一のレジスタ２８の振幅設定電圧を表す情報は、工場にてブラウン管テレビジョン１００のエージングがなされた後、ブラウン管４５に表示される映像が表示画面の上下サイズに合うように調整されて設定される。
【００３０】
ダイオードＤ１は、ＶＣＤ−ＩＣ２０の外部に設置され、アノード側には定電流源Ｉ２が接続されるとともにカソード側が接地され、定電流源Ｉ２より順方向に所定の電流が供給されている。そして、ダイオードＤ１と定電流源Ｉ２との間より分岐する配線は、後述する第二のアンプＸ４と複数の抵抗およびスイッチＳＷとを介して第一のアンプＸ２の利得制御端子に接続される。これにより、ダイオードＤ１の両端に発生する電圧が第二のアンプＸ４と減圧回路とを介して第一のアンプＸ２の利得制御端子に印加される。つまり、ダイオードＤ１の両端に発生する順方向電圧に基づく電圧が上記利得制御端子に印加される。
【００３１】
ダイオードＤ１は、テレビジョン１００内部の温度変化に伴なって内部抵抗が変動する。また、ダイオードＤ１に流れる電流は定電流源Ｉ２より供給されるので電流は変化せず、温度が上昇すると順方向電圧が減少し、温度が下降すると順方向電圧が増加する。従って第一のアンプＸ２の利得制御端子に入力される電圧は、温度が上昇すると減少し、温度が下降すると増加する。つまり、ダイオードＤ１よりの順方向電圧の変化によって、ブラウン管４５に表示される映像の垂直方向サイズは、テレビジョン１００内部の温度が上昇すると狭くなる方向に補正がかかり、テレビジョン１００内部の温度が下降すると広くなる方向に補正がかかる。すなわち、テレビジョン１００内部の温度変化により変動する傾向のあった垂直方向の映像サイズは、ダイオードＤ１から利得制御端子に入力される電圧によって上記変動と反対の補正がかかりことになり、適切なサイズにて表示される。なお、ダイオードＤ１の代わりに、同じく温度にて抵抗値の変化するサーミスタを使用しても無論構わない。
【００３２】
第二のアンプＸ４は、入力端子がダイオードＤ１と定電流源Ｉ２との間に接続されるとともに、出力端子が後述する複数の抵抗およびスイッチＳＷとを介して第一のアンプＸ２の利得制御端子に接続される。すなわち、ダイオードＤ１の順方向電圧が入力されて、所定の増幅率にて増幅して出力端子より出力する。
【００３３】
第二のアンプＸ４の出力端子には、抵抗Ｒ２，Ｒ３，Ｒ４が直列に接続されるとともに一方の端は接地されている。また、第一のアンプＸ２の利得制御端子に対して抵抗Ｒ５を介して接続されたスイッチＳＷが、各抵抗Ｒ２，Ｒ３，Ｒ４の分割点Ａ，Ｂに対して切り換えて接続可能となっている。これら抵抗Ｒ２〜Ｒ５とスイッチＳＷとが、上記第二のアンプと上記利得制御端子との間に挿入され、スイッチと複数の抵抗とから構成される上記減圧回路を構成する。
【００３４】
上記減圧回路の抵抗値は、ブラウン管テレビジョンの画面のサイズによって決定され、画面が広いほど抵抗値が大きくなるように設定される。つまり、図３においては、スイッチＳＷを分割点Ａに接続したものは、スイッチＳＷを分割点Ｂに接続したものよりも画面サイズの大きいブラウン管テレビジョンに対応する。分割点の数、すなわち第二のアンプＸ４と接地の間に直列に接続される抵抗の数は任意であり、対応させたいブラウン管テレビジョンのモデル数に応じて増減可能である。これにより、複数の画面サイズのブラウン管テレビジョンに対応可能となる。
【００３５】
スイッチＳＷは、第二のレジスタ２９に設定される情報により切り替えられる。すなわち第二のレジスタ２９にはスイッチＳＷをいずれの分割点に接続させるかを示す情報が記憶されている。第二のレジスタ２９に設定されるスイッチＳＷがいずれの分割点に接続されるかを表す情報は、工場にてブラウン管テレビジョン１００のモデルに合わせて設定される。図３においては、第一のレジスタ２８および第二のレジスタ２９はＶＣＤ−ＩＣ２０の内部に示してあるが、むろんＶＣＤ−ＩＣ２０の外部に配置されていてもよく、例えばマイコン３０に第一のレジスタ２８および第二のレジスタ２９が備えられ、マイコン３０の制御により電圧生成回路２７およびスイッチＳＷが制御される構成も考えられる。
【００３６】
ところで、上記第二のアンプＸ４と上記減圧回路と上記第二のレジスタの代わりに、図４のようにプログラマブル・ゲイン・アンプＸ１４を使用する構成としても構わない。Ｘ１４をゲインコントロールすることにより、上記第二のアンプＸ４での増幅と上記減圧回路での減圧とを同時に実現できる。プログラマブル・ゲイン・アンプＸ１４のゲインは、上記減圧回路と同様にレジスタにて設定されてもよいし、マイコン３０にて制御されても構わないし、両者を組み合わせても構わない。
【００３７】
（３）工場出荷時の設定： 
テレビジョン１００が、工場より出荷されるまでの流れを説明する。まずテレビジョン１００が組み立てられると、第一のレジスタ２８に振幅設定電圧を表す情報が一時的に設定されるとともに、モデル毎に（インチサイズ毎に）第二のレジスタ２９が設定される。この状態でテレビジョン１００のエージングを行い、エージングが完了すると、垂直偏向回路２５が安定するとともにセット内部の温度が一定となり、ユーザがテレビジョン１００を視聴する状態と同様の状態となる。この状態で第一のレジスタ２８を設定しなおし、電圧生成回路２７で発生する振幅設定電圧の調整を行う。これにより、テレビジョン１００のセット毎に最適な値が第一のレジスタ２８に設定されて画面に表示される映像の垂直方向が画面のサイズに一致するとともに、セット内部の温度が下降すると利得制御端子に入力される電圧が上昇し、セット内部の温度が上昇すると利得制御端子に入力される電圧が下降して、温度の変動が生じても画面サイズの変動を抑えることが可能となる。
【００３８】
第一のレジスタ２８および第二のレジスタ２９の設定は、マイコン３０に設定プログラムを記憶させておき、リモコン６０の隠しコマンドを入力したときに同設定プログラムが実行され、リモコン６０のキー操作に応じて設定値を変更させる構成とすればよい。むろんテレビジョン１００を外部コンピュータと接続し、外部コンピュータにて実行される設定プログラムにて設定値の変更・設定を行わせる構成としても構わない。
【００３９】
このように、第一のアンプの主たるゲインを調整する電圧を発生する電圧生成回路２７の電圧を、テレビジョン１００のエージング後に設定することにより、ダイオードＤ１における個差を吸収することが可能となる。
【００４０】
（４）まとめ： 
つまり、定電流源Ｉ２よりダイオードＤ１の順方向に電流が供給され、第二のアンプＸ４がダイオードＤ１の順方向電圧を増幅して第一のアンプＸ２の利得制御端子に入力し、第一のアンプＸ２は電圧生成回路２７にて生成される振幅設定電圧とダイオードＤ１の順方向電圧とに基づいて三角波発生回路Ｇより入力された三角波電圧を増幅して出力する。
【００４１】
以上説明したように、本実施例に対応する請求項２にかかるブラウン管テレビジョンでは、ブラウン管の電子ビームを垂直方向に走査させるための三角波電圧を発生する三角波発生回路と、入力される上記三角波電圧を増幅して出力する第一のアンプと、同第一のアンプにおける利得制御電圧が印加される利得制御端子と、工場にて設定される振幅設定電圧に従って電圧を生成して上記利得制御端子に入力する電圧生成回路と、から構成される垂直偏向回路を備えて、入力された映像信号に対応する映像を上記ブラウン管の画面に表示するブラウン管テレビジョンにおいて、所定の電流を供給する定電流源と、上記定電流源に順方向に接続されるダイオードと、上記ダイオードの順方向電圧を増幅して上記利得制御端子に入力する第二のアンプと、を備える構成としてある。
上記のように構成した請求項２にかかる発明において、上記定電流源より上記ダイオードの順方向に電流が供給され、上記第二のアンプが上記ダイオードの順方向電圧を増幅して上記利得制御端子に入力し、上記第一のアンプは上記振幅設定電圧と上記ダイオードの順方向電圧とに基づいて三角波発生回路より入力された三角波電圧を増幅して出力する。従って、テレビジョンセット内部の温度変化に対する垂直方向の画面サイズの変動を抑制することが可能なブラウン管テレビジョンを提供することができる。また、ダイオードを使用するため、上記効果を安価に実現できる。
【００４２】
そして、請求項３にかかる発明では、上記垂直偏向回路を、複数サイズのブラウン管テレビジョンに対応させる為に、上記請求項２に記載のブラウン管テレビジョンにおいて、上記第二のアンプと上記利得制御端子との間に、スイッチと複数の抵抗とから構成される減圧回路を挿入する構成としてある。
上記のように構成した請求項３にかかる発明においては、上記第二のアンプより出力される電圧を減圧するとともに、スイッチを切り替えることで減圧率を容易に変更することができ、複数種類のモデルにて同一の垂直偏向回路使用することが可能となる。よって、部品定数を変える事無く各インチのモデルに対応することが可能となる。
【００４３】
さらに、請求項４にかかる発明では、上記振幅設定電圧の変更を容易にするため、上記請求項３に記載のブラウン管テレビジョンにおいて、上記振幅設定電圧を表す情報が設定される第一のレジスタを備える構成としてある。
上記のように構成した請求項４にかかる発明において、回路構成を変更する事無く、レジスタに情報を設定することにより上記振幅設定電圧を容易に変更することが可能となる。従って、レジスタ設定によって部品定数を変える事無く各インチのモデルに対応することが可能となる。
【００４４】
また、請求項５にかかる発明では、上記請求項４のいずれかに記載のブラウン管テレビジョンにおいて、上記ダイオードは、アノード側を上記定電流源に接続されるとともにカソード側が接地され、上記第二のアンプは、上記定電流源と上記ダイオードの間に入力端子が接続されるとともに出力端子が上記減圧回路に接続され、上記減圧回路は、上記第二のアンプの出力端子に対して直列に接続された複数の抵抗と、上記利得制御端子に接続されて上記複数の抵抗の分割点に切り替え可能なスイッチとから構成される、としてある。
上記のように構成した請求項５に記載の発明においては、テレビジョンセット内部の温度変化に対する垂直方向の画面サイズの変動を抑制することが可能なブラウン管テレビジョンを提供することができる。
【００４５】
さらに、請求項６にかかる発明は、上記請求項５に記載のブラウン管テレビジョンにおいて、上記減圧回路の抵抗値は、ブラウン管テレビジョンのサイズに応じて設定され、上記第一のレジスタは、上記抵抗値が設定された後、ブラウン管テレビジョンのエージングが完了してから上記映像が上記画面に合わせて表示されるように設定される構成としてある。
上記のように構成した請求項６に記載の発明においては、部品定数を変える事無く各インチのモデルに対応することが可能となるとともに、エージング後の温度的にも回路的にも安定した状態で利得制御電圧を設定するため、安定状態からの画面サイズの変動を抑制することが可能となり、より垂直方向の画面サイズが安定したブラウン管テレビジョンを提供することが可能となる。
【００４６】
さらに、請求項７にかかる発明は、上記請求項５または上記請求項６に記載のブラウン管テレビジョンにおいて、上記スイッチがいずれの分割点に接続されるかを表す情報が設定される第二のレジスタを備える構成としてある。
上記のように構成した請求項７に記載の発明においては、レジスタ設定によって部品定数を変える事無く各インチのモデルに対応することが可能となる。
【００４７】
さらに、請求項８にかかる発明は、上記請求項２〜７に記載のブラウン管テレビジョンにおいて、上記第二のアンプは、プログラマブル・ゲイン・アンプである構成としてある。
上記のように構成した請求項８に記載の発明においては、プログラマブル・ゲイン・アンプを使用するため、マイコンなどの制御機器からの垂直方向の画面サイズの制御も可能なブラウン管テレビジョンを提供することが可能となる。
【００４８】
さらに、請求項９にかかる発明は、上記請求項２〜８のいずれかに記載のブラウン管テレビジョンにおいて、上記ダイオードの代わりにサーミスタを使用する構成としてある。
上記のように構成した請求項９に記載の発明においては、サーミスタを使用してテレビジョンセット内部の温度変化に対する垂直方向の画面サイズの変動を抑制することが可能なブラウン管テレビジョンを提供することができる。
【００４９】
以上の構成を踏まえた上で、請求項１の発明は、ブラウン管の電子ビームを垂直方向に走査させるための三角波電圧を発生する三角波発生回路と、上記三角波発生回路より三角波電圧が入力され同三角波電圧を増幅して出力する第一のアンプと、上記第一のアンプに備えられるとともに同第一のアンプに入力された電圧の増幅率を決定する利得制御電圧が印加される利得制御端子と、工場にて設定される振幅設定電圧に従って電圧を生成して上記利得制御端子に入力する電圧生成回路と、から構成される垂直偏向回路を備えて、入力された映像信号に対応する映像を上記ブラウン管の画面に表示するブラウン管テレビジョンにおいて、所定の電流を供給する定電流源と、アノード側を上記定電流源に接続されると共にカソード側が接地されるダイオードと、上記定電流源と上記ダイオードの間に入力端子が接続され、上記ダイオードの順方向電圧を増幅して出力する第二のアンプと、上記第二のアンプの出力端子に対して直列に接続された複数の抵抗と、上記利得制御端子に接続されて上記複数の抵抗の分割点に切り替え可能なスイッチとから構成され、上記第二のアンプより出力される電圧を減圧する減圧回路と、上記振幅設定電圧を表す情報が設定される第一のレジスタと、上記スイッチがいずれの分割点に接続されるかを表す情報が設定される第二のレジスタと、を備え、上記三角波発生回路と上記第一のアンプと上記電圧生成回路と上記定電流源と上記第二のアンプと上記減圧回路と上記第一のレジスタと上記第二のレジスタとは、ＩＣの内部に形成されるとともに、上記ダイオードはＩＣの外部に設置され、上記第二のレジスタはブラウン管テレビジョンのサイズに対応する値が設定され、上記第一のレジスタは、上記第二のレジスタが設定された後、ブラウン管テレビジョンのエージングが完了してから上記映像が上記画面に合わせて表示されるように設定される構成としてある。
【００５０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５１】
【図１】本実施形態にかかるブラウン管テレビジョンの主要構成を示すブロック図である。
【図２】本実施形態にかかるＶＣＤ−ＩＣにおける信号処理回路の構成を示すブロック図である。
【図３】本実施形態にかかる垂直偏向回路の回路図である。
【図４】本実施形態にかかる垂直偏向回路の変形例を示す回路図である。
【図５】従来の垂直偏向回路の回路図である。
【符号の説明】
【００５２】
１０…チューナ回路
１０ａ…アンテナ
２０…ＶＣＤ−ＩＣ
３０…マイコン
３１…ＣＰＵ
３２…ＲＯＭ
３３…ＲＡＭ
３５…赤外線受光回路
４０…ＦＢＴ
４５…ブラウン管（ＣＲＴ）
５０…スピーカ
６０…リモコン
２７…電圧生成回路
２８…第一のレジスタ
２９…第二のレジスタ
Ｒ２〜Ｒ６…抵抗
Ｘ２…第一のアンプ
Ｘ４…第二のアンプ
Ｘ１４…プログラマブル・ゲイン・アンプ
Ｘ３…ドライバＩＣ
Ｇ…三角波発生回路
Ｄ１…ダイオード
ＳＷ…スイッチ
Ｉ２…定電流源
【図１】
2007258907.tif 000003
【図２】
2007258907.tif 000004
【図３】
2007258907.tif 000005
【図４】
2007258907.tif 000006
【図５】
2007258907.tif 000007